(57)【要約】【課題】  頭部及び首筋の静電気の除去を良好に行うことができ、更には、炭電子により頭部の血流を促して、自律神経のバランスの改善や疲労感の低減に好適な炭アース枕を提供する。【解決手段】  使用者は、その頭部７０を炭アース枕に載せる。すると、頭部７０や首筋７２が枕カバー６０を介して導電シート５０に触れてアースされるようになり、頭部７０の不要な静電気が導電シート５０に移動する。導電シート５０は、クッション台１０の枠部１４上で炭電子反射シート２０と接触しているため、静電気は、導電シート５０から炭電子反射シート２０に移動し、更に炭袋３０内の炭に吸収されるようになる。一方、頭部７０や首筋７２の静電気は、枕カバー６０，導電シート５０から、緩やかではあるがそば殻袋４０を介しても炭電子反射シート２０に伝わり、更に炭袋３０内の炭に吸収されるようになる。【選択図】図１
0003228132.tif 000002
【実用新案登録請求の範囲】
【請求項１】
人体の頭部及び首筋を載せる炭アース枕であって、
前記頭部を支える本体袋，
この本体袋の下側に重ねられる炭袋，
前記本体袋及び炭袋を収納するクッション台，
前記クッション台と前記炭袋の間に設けられる通電性の炭電子反射シート，
前記本体袋と頭部との間に設けられる導電シート，
を備えており、
前記クッション台の枠部上で、前記炭電子反射シートと前記導電シートが電気的に接触しており、
前記頭部及び首筋の静電気を、前記導電シートから前記炭電子反射シートを通じて前記炭袋の炭にアースすることを特徴とする炭アース枕。
【請求項２】
前記本体袋，前記炭袋，前記クッション台，前記炭電子反射シート，前記導電シートを、枕カバーで覆ったことを特徴とする請求項１記載の炭アース枕。
【請求項３】
前記本体袋，前記炭袋，前記枕カバーの生地を通電性としたことを特徴とする請求項２記載の炭アース枕。
【考案の詳細な説明】
【技術分野】
【０００１】
本考案は、炭を利用して頭部の余分な電気をアースする炭アース枕に関する。
【背景技術】
【０００２】
炭アース枕としては、例えば、下記特許文献１記載の静電気除去枕がある。これは、粒状木炭を一定厚みで一定大きさの有孔性シートに囲繞して木炭マット基材とし、この木炭マット基材と木片マット基材とを任意の配列で配置して吸湿性素材からなる織布、編布、不織布、シートで囲繞して枕マット材とし、この枕マット材を任意に折り曲げて重ねてカバーをしたものである。
【先行技術文献】
【特許文献】
【０００３】
【特許文献１】実用新案登録第３０３０５９１号公報
【考案の概要】
【考案が解決しようとする課題】
【０００４】
以上のような背景技術に示す静電気除去枕では、木炭粒を囲繞する吸湿性の綿及び吸湿性の布と木炭との相互作用によって静電気を除去しているが、必ずしも十分な除去効果を得ることができない。静電気の除去ができないと、頭部の血流が滞るようになり、片頭痛の原因になったり、自律神経のバランスに悪影響を与えるといった課題がある。
【０００５】
本考案は、以上の点に着目したもので、頭部及び首筋の静電気の除去を良好に行うことができ、更には、炭電子により頭部の血流を促して、自律神経のバランスの改善や疲労感の低減に好適な炭アース枕を提供することを、その目的とする。
【課題を解決するための手段】
【０００６】
前記目的を達成するため、本考案は、人体の頭部及び首筋を載せる炭アース枕であって、前記頭部を支える本体袋，この本体袋の下側に重ねられる炭袋，前記本体袋及び炭袋を収納するクッション台，前記クッション台と前記炭袋の間に設けられる炭電子反射シート，前記本体袋と頭部との間に設けられる導電シート，を備えており、前記クッション台の枠部上で、前記反射シートと前記導電シートが電気的に接触しており、前記頭部及び首筋の静電気を、前記導電シートから前記反射シートを通じて前記炭袋の炭にアースすることを特徴とする。
【０００７】
主要な形態の一つによれば、前記本体袋，前記炭袋，前記クッション台，前記反射シート，前記導電シートを、枕カバーで覆ったことを特徴とする。他の形態によれば、前記本体袋，前記炭袋，前記枕カバーの生地を通電性としたことを特徴とする。本考案の前記及び他の目的，特徴，利点は、以下の詳細な説明及び添付図面から明瞭になろう。
【考案の効果】
【０００８】
本考案によれば、導電シート，枕の本体袋，炭袋，炭電子反射シートを重ねてクッション台に収納し、頭部及び首筋の静電気を、前記導電シートから前記反射シートを通じて、前記炭袋にアースすることとしたので、頭部及び首筋の静電気の除去を良好に行うことができ、炭電子により血流を促すことができるので、自律神経のバランスの改善や疲労感の低減を図ることができる。
【図面の簡単な説明】
【０００９】
【図１】本考案の実施例１の炭アース枕を示す図である。(A)は積層の様子を示しており、(B)は主要断面を示しており、(C)は使用状態を示す。
【考案を実施するための形態】
【００１０】
以下、本考案を実施するための最良の形態を、実施例に基づいて詳細に説明する。
【実施例１】
【００１１】
図１には、本考案の実施例１の炭アース枕が示されている。同図において、炭アース枕は、クッション台１０に、炭電子反射シート２０，炭袋３０，そば殻袋（本体袋）４０，導電シート５０を積層して収納するとともに、全体を枕カバー６０で覆った構造となっている。
【００１２】
これらのうち、クッション台１０には、上面側に凹部１２が設けられており、この凹部１２に、前記炭袋３０やそば殻袋４０が収納されるようになっている。また、凹部１２の周囲には枠部１４が設けられている。炭電子反射シート２０は、例えばアルミシートによって形成されており、クッション台１０の枠部１４や凹部１２の側面及び底面を覆うように設けられている。炭電子反射シート２０は、炭から放出された電子を反射する機能や、頭部の静電気などの余分な電子を逃がす通電性の機能も備えている。
【００１３】
次に、炭袋３０は、全体が一つの袋となっており、高温焼成された不純物が少ない炭が収納されている。不純物が少ないほど、炭の中の電子の流れ（炭の電子力）が向上する。そば殻袋４０は、一般的な枕で使用するそば殻を袋に収納したものである。そば殻も、通電性を有しており、静電気の除去に好適である。導電シート５０は、アルミや銅などの導電材料で形成されており、頭部７０の不要な静電気を逃がすために設けられている。この導電シート５０は、そば殻袋４０の表面のみならず、クッション台１０の枠部１４上にも設けられており、枠部１４上で炭電子反射シート２０と重ねられている。これにより、導電シート５０の電子が炭電子反射シート２０の方に流れるようになっている。枕カバー６０は、全体を覆って、積層状態を維持するとともに、そば殻袋４０の汚れを防ぐためのものである。そば殻枕４０や枕カバー６０の生地としては通電性の純綿を使用し、炭袋３０の生地としては通電性の優れたものを使用する。
【００１４】
次に、本実施例の全体的な作用を説明する。図１(C)に示すように、利用者は、その頭部７０を炭アース枕に載せる。すると、頭部７０や首筋（頸部）７２が枕カバー６０を介して導電シート５０に触れてアースされるようになり、頭部７０の不要な静電気が導電シート５０に移動する。導電シート５０は、上述したように、クッション台１０の枠部１４上で炭電子反射シート２０と接触しているため、静電気は、導電シート５０から炭電子反射シート２０に移動し、更に炭袋３０内の炭に吸収されるようになる。一方、頭部７０の静電気は、枕カバー６０，導電シート５０から、緩やかではあるが、そば殻袋４０を介しても炭電子反射シート２０に伝わり、更に炭袋３０内の炭に吸収されるようになる。
【００１５】
超高温焼成された導電性に富んだ炭袋３０の炭は、大地の持つ同質性を有して電気を吸い取る。このため、大地が常時地電流が流れると同時に、地磁気を放射している仕組みから、炭層内は常時電流が流れ、炭・電子力を放射している。すなわち、本実施例によれば、頭部７０の下に炭袋３０による大地があることになり、大地を裸足で歩くと血流が促される仕組みと同様の効果が得られるようになる。加えて、炭袋３０の炭から発せられた炭電子が、そば殻袋４０を介して頭部７０に作用する。これらにより、頭部７０の血流が促進されるようになると、全身の血流も促進されるようになり、自律神経のバランスが整えられるようになる。更には、体調が自然体に整えられ、疲労感の改善を図ることができる。
【００１６】
＜他の実施例＞  なお、本考案は、上述した実施例に限定されるものではなく、本考案の要旨を逸脱しない範囲内において種々変更を加えることができる。例えば、以下のものも含まれる。
(1)頭部７０の余分な静電気を逃がすためのみであれば、そば殻袋４０を無くして、直接的に炭袋３０で頭部７０を支えてもよいが、炭袋３０の炭からの放射電子による血流により、特に高温多湿の時季には頭部が熱く、発汗作用も高まるようになる。そこで、昔から「頭寒足熱」の諺どおり、自律神経が乱れて代謝機能が低下するため、そば殻を用いて炭電子力を軽減させ、かつ、その特性で睡眠中に頭部７０を自由に動かしやすくするため、上記実施例では、頭部７０と炭袋３０の間にそば殻袋４０を入れている。
(2)前記実施例で示した形状，寸法は一例であり、必要に応じて適宜変更してよい。例えば、前記実施例では、クッション台１０を方形の箱形状としたが、円形，楕円形その他の形状としてよい。凹部１２も、同様に各種の形状としてよい。
(3)前記実施例では、枕本体にそば殻を使用したが、そば殻に限定されるものではなく、パイプなど他の素材を用いてもよい。他の各部の素材も、同様の作用を奏するように、各種のものを使用してよい。
【産業上の利用可能性】
【００１７】
本考案によれば、導電シート，枕の本体袋，炭袋，炭電子反射シートを重ねてクッション台に収納し、頭部及び首筋の静電気を、前記導電シートから前記反射シートを通じて、前記炭袋にアースすることとしたので、頭部及び首筋の静電気の除去を良好に行うことができ、炭電子により血流を促すことができるので、自律神経のバランスの改善や疲労感の低減を図る枕として好適である。
【符号の説明】
【００１８】
１０：クッション台
１２：凹部
１４：枠部
２０：炭電子反射シート
３０：炭袋
４０：そば殻袋
５０：導電シート
６０：枕カバー
７０：頭部
７２：首筋
【図１】
0003228132.tif 000003